(57)【要約】【課題】ヘルメット本体の機械的な強度、および、静粛性を向上可能にしたヘルメットを提供する。【解決手段】スライド部材と支持機構とに接続された伝達ケーブルは、第１操作位置に向けた操作力を支持機構に伝えて防眩バイザーを防眩位置へ回動させ、かつ、第２操作位置に向けた操作力を支持機構に伝えて防眩バイザーを非防眩位置へ回動させ、収容部１２１は、操作方向Ｄに延在する有底の窪みであり、窪みの内周面１２２が外側シェルの左側面１２Ｓと交差する面であり、内周面１２２の中で操作方向に位置する端面１２３に外側シェル１２を貫通する挿通孔１２４が位置し、伝達ケーブルが挿通孔１２４に通されている。【選択図】図２
2019194373.tif 000002
【特許請求の範囲】
【請求項１】
光の強さを減じる防眩バイザーと、
前面に位置する開口部と、外側面に位置する収容部と、を備えた外側シェルと、
前記収容部に収容された操作機構であって、前記外側面に沿う操作方向に沿って第１操作位置と第２操作位置とに移動可能なスライド部材を備えた前記操作機構と、
前記外側シェルに固定された支持機構であって、防眩位置と非防眩位置とに前記防眩バイザーを回動可能に支持する前記支持機構と、
前記スライド部材と前記支持機構とに接続された伝達ケーブルであって、前記第１操作位置に向けた操作力を前記支持機構に伝えて前記防眩バイザーを前記防眩位置へ回動させ、かつ、前記第２操作位置に向けた操作力を前記支持機構に伝えて前記防眩バイザーを前記非防眩位置へ回動させる前記伝達ケーブルと、
を備え、
前記収容部は、前記操作方向に延在する有底の窪みであり、前記窪みの内周面が前記外側シェルの外側面と交差する面であり、前記内周面の中で前記操作方向に位置する端面に前記外側シェルを貫通する挿通孔が位置し、前記伝達ケーブルが前記挿通孔に通されている
ヘルメット。
【請求項２】
前記操作機構は、前記窪みの内側から前記伝達ケーブルと前記スライド部材とを覆う内側カバー部材をさらに備え、前記内側カバー部材が、前記窪みの底面と面接触するように前記底面に固定された板状を有し、前記窪みの底面にて前記操作方向の全長にわたる
請求項１に記載のヘルメット。
【請求項３】
前記内側カバー部材は、前記窪みの底面と面接触する面とは反対側に前記伝達ケーブルと対向する誘導面を備え、前記操作方向に延在するリード溝が前記誘導面に位置し、前記スライド部材と前記挿通孔との間において、前記伝達ケーブルの延在する方向を前記操作方向に前記リード溝が導く
請求項２に記載のヘルメット。
【請求項４】
前記操作機構は、前記窪みの内側に、前記スライド部材と、前記操作方向に延在して前記スライド部材の移動を前記操作方向に案内するガイド部材と、をさらに備える
請求項１〜３に記載のいずれか一項に記載のヘルメット。
【請求項５】
前記伝達ケーブルが通る経路は、前記外側シェルの内側において前記支持機構の周囲を回る弧を含み、前記操作方向が前記弧の端部での接線方向である
請求項１〜４に記載のいずれか一項に記載のヘルメット。
【請求項６】
前記操作機構は、前記ガイド部材を外側から覆う外側カバー部材であって、前記外側カバー部材を貫通する孔を通じて前記スライド部材を外部に露出させる前記外側カバー部材をさらに備え、
前記外側カバー部材は、前記収容部の全体を覆い、かつ、前記外側面と滑らかにつながる表面を備える
請求項４に記載のヘルメット。
【請求項７】
光の強さを減じる防眩バイザーと、
前面に位置する開口部と、外側面に位置する収容部と、を備えた外側シェルと、
前記収容部に収容された操作機構であって、前記外側面に沿う操作方向に沿って第１操作位置と第２操作位置とに移動可能なスライド部材を備えた前記操作機構と、
前記外側シェルに固定された支持機構であって、防眩位置と非防眩位置とに前記防眩バイザーを回動可能に支持する前記支持機構と、
前記スライド部材と前記支持機構とに接続された伝達ケーブルであって、前記第１操作位置に向けた操作力を前記支持機構に伝えて前記防眩バイザーを前記防眩位置へ回動させ、かつ、前記第２操作位置に向けた操作力を前記支持機構に伝えて前記防眩バイザーを前記非防眩位置へ回動させる前記伝達ケーブルと、
を備え、
前記収容部は、前記操作方向に延在する有底の窪みであり、前記窪みの内周面が前記外側シェルの外側面と交差する面であり、前記内周面の中で前記操作方向に位置する端面に前記外側シェルを貫通する挿通孔が位置し、前記伝達ケーブルが前記挿通孔に通され、
前記操作機構は、前記窪みの内側から前記伝達ケーブルと前記スライド部材とを覆う内側カバー部材をさらに備え、前記内側カバー部材が、前記伝達ケーブルと対向する誘導面を備え、前記操作方向に延在するリード溝が前記誘導面に位置し、前記スライド部材から前記挿通孔に向けて前記リード溝が前記伝達ケーブルを導く
ヘルメット。
【発明の詳細な説明】
【技術分野】
【０００１】
本発明は、防眩バイザーを備えたヘルメットに関する。
【背景技術】
【０００２】
ヘルメットが備える防眩バイザーは、着用者の視界に入る光の強さを減じて、着用者が感じる眩しさを抑える。防眩バイザーを支持する機構は、非防眩位置と防眩位置との間で防眩バイザーを回動する。防眩位置の防舷バイザーは、着用者の視界に入り、非防眩位置の防眩バイザーは、着用者の視界から外れる。防眩バイザーを操作する機構は、着用者の操作に応じて、非防眩位置と防眩位置とに防眩バイザーを変位させる。防眩バイザーを操作する機構は、外側シェルの外側面に従って変位可能なスライド部材を備える。防眩バイザーを支持する機構は、伝達ケーブルによってスライド部材と接続される。伝達ケーブルは、外側シェルの内側に配置されて、防眩バイザーを支持する機構にスライド部材の移動を伝える（例えば、特許文献１，２を参照）。例えば、スライド部材の下降は、伝達ケーブルを介して、防眩バイザーを非防眩位置に上昇させる。例えば、スライド部材の上昇は、伝達ケーブルを介して、防眩バイザーを防舷位置に下降させる。
【先行技術文献】
【特許文献】
【０００３】
【特許文献１】特開２０１３−２８８７２号公報
【特許文献２】特開２０１３−３６１５８号公報
【発明の概要】
【発明が解決しようとする課題】
【０００４】
防眩バイザーを操作する機構は、外側シェルを貫通する取り付け孔に嵌められて、外側シェルに対して位置決めされている。一方、防眩バイザーを操作する機構の機械的な強度は、外側シェルほど高くはなく、外側シェルを貫通する取り付け孔が、外側シェルの機械的な強度を減じる結果、ヘルメットの機械的な強度が低下してしまう。さらに、取り付け孔の位置が着用者の耳の近傍であるため、走行時の騒音が着用者の耳に直接伝わってしまう。そのため、上述した構成を有するヘルメットでは、ヘルメットの機械的な強度、および、静粛性を向上させる観点において、依然として改善の余地が残されている。
本発明は、機械的な強度、および、静粛性を向上可能にしたヘルメットを提供することを目的とする。
【課題を解決するための手段】
【０００５】
上記課題を解決するためのヘルメットは、光の強さを減じる防眩バイザーと、前面に位置する開口部と、外側面に位置する収容部と、を備えた外側シェルと、前記収容部に収容された操作機構であって、前記外側面に沿う操作方向に沿って第１操作位置と第２操作位置とに移動可能なスライド部材を備えた前記操作機構と、を備える。また、このヘルメットは、前記外側シェルに固定された支持機構であって、防眩位置と非防眩位置とに前記防眩バイザーを回動可能に支持する前記支持機構と、前記スライド部材と前記支持機構とに接続された伝達ケーブルであって、前記第１操作位置に向けた操作力を前記支持機構に伝えて前記防眩バイザーを前記防眩位置へ回動させ、かつ、前記第２操作位置に向けた操作力を前記支持機構に伝えて前記防眩バイザーを前記非防眩位置へ回動させる前記伝達ケーブルと、を備える。そして、前記収容部は、前記操作方向に延在する有底の窪みであり、前記窪みの内周面が前記外側シェルの外側面と交差する面であり、前記内周面の中で前記操作方向に位置する端面に前記外側シェルを貫通する挿通孔が位置し、前記伝達ケーブルが前記挿通孔に通されている。
【発明の効果】
【０００６】
本発明に係るヘルメットによれば、ヘルメット本体の機械的な強度、および、静粛性が向上される。
【図面の簡単な説明】
【０００７】
【図１】ヘルメットの一実施形態における外観構造を示す側面図。
【図２】操作機構が取り外された状態のヘルメットを斜め下方から見た斜視図。
【図３】操作機構を収容部の外側から見た分解斜視図。
【図４】操作機構を収容部の内側から見た分解斜視図。
【図５】操作機構の内部構造を伝達ケーブルと共に示す分解斜視図。
【図６】操作機構にてスライド部材が第１操作位置に位置する状態を示す図。
【図７】操作機構にてスライド部材が第２操作位置に位置する状態を示す図。
【図８】参考例の操作機構にてスライド部材が第１操作位置に位置する状態を示す図。
【図９】参考例の操作機構にてスライド部材が第２操作位置に位置する状態を示す図。
【発明を実施するための形態】
【０００８】
以下、ヘルメットを具体化した一実施形態を図１から図９を参照して説明する。
【０００９】
図１が示すように、ヘルメットは、球体状を有したヘルメット本体１１、シールド１３、防眩バイザー１４、一対の支持機構２０、操作機構３０、および、一対の伝達ケーブル４０を備える。以下では、図１が示すヘルメットの状態において、防眩バイザー１４に対するシールド１３の側を前側とし、一対の支持機構２０が並ぶ方向を左右方向として説明する。
【００１０】
左右で一対の支持機構２０と単一の操作機構３０とは、ヘルメット本体１１を構成する外側シェル１２に固定されている。各支持機構２０は、別々の伝達ケーブル４０によって単一の操作機構３０に接続されている。
【００１１】
外側シェル１２は、ヘルメット本体１１の最外殻である。外側シェル１２を構成する材料の一例は、アクリロニトリル・ブタジエン・スチレン共重合体（ＡＢＳ）、ポリカーボネート（ＰＣ）、および、強化繊維を含浸させた熱硬化性樹脂から選択されるいずれか一種である。外側シェル１２の前面１２Ｆは、前方に向けて開口する開口部１２Ａを備える。開口部１２Ａは、着用者の視界を確保する。
【００１２】
シールド１３は、光透過性を有した無色で透明の板部材である。シールド１３は、左右で一対の支持機構２０に回動可能に支持されている。シールド１３は、シールド１３を移動させる操作力を受けて、開位置と閉位置との間で変位する。開位置は、シールド１３が開口部１２Ａを開ける位置である。閉位置は、図１が示すように、シールド１３が開口部１２Ａを閉じる位置である。シールド１３は、前方から飛来する異物や風がヘルメット本体１１内に入ることを閉位置において妨げて、着用者の視認性を向上させる。シールド１３を構成する材料は、例えば、ポリカーボネートである。
【００１３】
防眩バイザー１４は、光透過性を有した有色で透明の板部材である。防眩バイザー１４は、左右で一対の支持機構２０に回動可能に支持されている。防眩バイザー１４は、シールド１３よりも外側シェル１２の内側に位置する。防眩バイザー１４を操作する操作力は、操作機構３０から伝達ケーブル４０を通じて各支持機構２０に伝わる。防眩バイザー１４は、防眩バイザー１４を移動させる操作力を受けて、防眩位置と非防眩位置との間で変位する。
【００１４】
防舷位置は、図１が示すように、防眩バイザー１４が開口部１２Ａの一部を閉じる位置であって、防眩バイザー１４が着用者の視界に入る位置である。非防眩位置は、防眩バイザー１４が開口部１２Ａを開ける位置であって、防眩バイザー１４が着用者の視界から外れる位置である。防眩バイザー１４は、防眩位置において光の強さを減じて、視認性の低下につながる歪みなどを抑える。防眩バイザー１４を構成する材料は、例えば、ポリカーボネートである。防眩バイザー１４は、例えば、防曇効果を備えたハードコート層を備える。
【００１５】
一対の支持機構２０は、シールド１３の非操作時にシールド１３の位置を保つ。また、一対の支持機構２０は、防眩バイザー１４の非操作時に防眩バイザー１４の位置を保つ。例えば、一対の支持機構２０は、開位置に変位したシールド１３の位置を次回の操作まで開位置に保ち、また、閉位置に変位したシールド１３の位置を次回の操作まで閉位置に保つ。一対の支持機構２０は、防眩位置に変位した防眩バイザー１４を次回の操作まで防眩位置に保ち、また、非防眩位置に変位した防眩バイザー１４を次回の操作まで非防眩位置に保つ。
【００１６】
操作機構３０は、外側カバー部材３４と、外側カバー部材３４から一部が露出するスライド部材３３とを備える。外側カバー部材３４は、外側シェル１２と共に、ヘルメット本体１１の外表面を構成する。スライド部材３３は、防眩バイザー１４を操作するための操作力を着用者から受ける。スライド部材３３は、防眩バイザー１４を操作するための操作力を受けて、第１操作位置と第２操作位置との間を、操作方向Ｄに沿って移動する。
【００１７】
第１操作位置は、スライド部材３３が変位する範囲のなかで最上位置である。第２操作位置は、スライド部材３３が変位する範囲のなかで最下位置である。外側シェル１２の外表面のなかで左側面１２Ｓは、外側シェル１２の外側面の一例である。操作方向Ｄは、外側シェル１２の左側面１２Ｓに沿う方向であり、後側斜め上方に沿う方向である。
【００１８】
各伝達ケーブル４０は、アウターケーブルの中にインナーケーブルを収納したワイヤーケーブルである。各伝達ケーブル４０は、単一のスライド部材３３が受ける操作力を別々の支持機構２０に伝える。各伝達ケーブル４０は、スライド部材３３を第１操作位置に向ける操作力を別々の支持機構２０に伝えて、単一の防眩バイザー１４を防眩位置へ回動させる。また、伝達ケーブル４０は、スライド部材３３を第２操作位置に向ける操作力を別々の支持機構２０に伝えて、単一の防眩バイザー１４を非防眩位置へ回動させる。
【００１９】
左側用の伝達ケーブル４０が通る経路は、外側シェル１２における左側面１２Ｓの内側において、左側の支持機構２０の周囲を回る弧を含む。操作方向Ｄは、弧の端部での接線方向である。右側用の伝達ケーブル４０が通る経路は、外側シェル１２の内側において、操作機構３０から後面１２Ｂに向けて引き回されて、後面１２Ｂから右側の支持機構２０に向けて引き回される。
【００２０】
図２が示すように、外側シェル１２の左側面１２Ｓは、操作機構３０を収容するための収容部１２１を備える。収容部１２１は、操作方向Ｄに延在する有底の窪みである。収容部１２１は、窪みの内周面１２２と、窪みの底面１２５とを備える。収容部１２１の内周面１２２は、外側シェル１２の左側面１２Ｓと交差する斜面である。窪みの底面１２５は、外側シェル１２の左側面１２Ｓの一部に沿う面である。収容部１２１の底面１２５において、操作方向Ｄの両端部には、底面１２５を貫通するねじ止め孔１２６が位置する。
【００２１】
収容部１２１の内周面１２２は、操作方向Ｄに位置する２つの端面を備える。２つの端面のなかで上方に位置する上端面１２３には、外側シェル１２を貫通する挿通孔１２４が位置する。挿通孔１２４は、収容部１２１と外側シェル１２の内側とを操作方向Ｄに沿って連通する。一対の伝達ケーブル４０は、収容部１２１から挿通孔１２４を通って、操作方向Ｄに沿うように外側シェル１２の内側へ導かれる。
【００２２】
ヘルメット本体１１は、最内殻を構成する内側シェルを外側シェル１２の内側に備える。内側シェルを構成する材料は、衝撃を吸収する樹脂であって、例えば、ポリウレタン、および、発泡スチロール樹脂から選択されるいずれか一種である。一対の伝達ケーブル４０は、外側シェル１２と内側シェルとに挟まれている。
【００２３】
次に、操作機構３０の構成について図３から図５を参照して説明する。
図３が示すように、操作機構３０は、内側カバー部材３１、ガイド部材３２、スライド部材３３、および、外側カバー部材３４を備える。
内側カバー部材３１は、操作方向Ｄに延在する板状を有する。内側カバー部材３１は、収容部１２１の内側に在って、伝達ケーブル４０、ガイド部材３２、および、スライド部材３３と組み合わされる。内側カバー部材３１は、収容部１２１の底面１２５において操作方向Ｄの全長にわたる大きさを有する。
【００２４】
内側カバー部材３１の操作方向Ｄにおける両端部には、内側カバー部材３１を貫通する締結孔３１Ａ（図４参照）が位置する。内側カバー部材３１において収容部１２１の底面１２５と対向する面は、接触面３１Ｂ（図４参照）である。内側カバー部材３１の接触面３１Ｂは、収容部１２１の底面１２５のほぼ全体と面接触するように、収容部１２１の底面１２５にねじ止め固定されている。
【００２５】
内側カバー部材３１は、ガイド部材３２、および、伝達ケーブル４０と対向する誘導面３１Ｃを備える。誘導面３１Ｃには、操作方向Ｄに延在する一対のリード溝３１Ｇ（図５参照）が位置する。各リード溝３１Ｇは、伝達ケーブル４０の一部を収容可能な大きさを有する。各リード溝３１Ｇの一端は、伝達ケーブル４０の導入端であって、収容部１２１の挿通孔１２４と対向する。各リード溝３１Ｇの他端は、伝達ケーブル４０の導出端であって、内側カバー部材３１における操作方向Ｄの中央に向く。各リード溝３１Ｇは、伝達ケーブル４０の延在する方向を操作方向Ｄに導く。
【００２６】
内側カバー部材３１は、一対の嵌合突片３１Ｄを誘導面３１Ｃに備える。各嵌合突片３１Ｄは、別々の締結孔３１Ａを囲うように、外側カバー部材３４に向けて誘導面３１Ｃから突き出る。外側シェル１２のねじ止め孔１２６、内側カバー部材３１の締結孔３１Ａ、および、嵌合突片３１Ｄには、内側カバー部材３１を収容部１２１に固定するためのねじが挿通される。
【００２７】
ガイド部材３２は、操作方向Ｄに延在する矩形板状を有する。ガイド部材３２は、内側カバー部材３１と外側カバー部材３４とに挟まれている。ガイド部材３２において操作方向Ｄに延在するガイド縁３２Ａは、スライド部材３３との係合を通じて、スライド部材３３の移動を操作方向Ｄに案内する。
【００２８】
ガイド部材３２における操作方向Ｄの両端には、操作方向Ｄに延在する嵌合溝３２Ｄが位置する。内側カバー部材３１の各嵌合突片３１Ｄは、別々の嵌合溝３２Ｄに嵌め込まれて、ガイド部材３２を内側カバー部材３１に位置決めする。
【００２９】
ガイド部材３２は、内側カバー部材３１に向けて突き出る一対の留め部３２Ｂを備える。各留め部３２Ｂは、別々の伝達ケーブル４０が備えるアウターケーブルの先端を留める。各留め部３２Ｂは、別々のリード溝３１Ｇの導出端と対向して、アウターケーブルの先端をリード溝３１Ｇの導出端に配置する。
ガイド部材３２は、内側カバー部材３１に向けて突き出る位置決め突部３２Ｃを備える。位置決め突部３２Ｃは、操作方向Ｄに延在する矩形板状を有する。
【００３０】
スライド部材３３は、操作方向Ｄから見てＵ字状の本体部を備える。スライド部材３３の本体部は、ガイド部材３２を挟む一対のスライド片３３Ａを備える。一対のスライド片３３Ａは、操作方向Ｄに延在する。スライド部材３３の本体部は、内側カバー部材３１に向けて突き出る一対の留め部３３Ｂ（図４参照）を備える。各留め部３３Ｂは、別々の伝達ケーブル４０が備えるインナーケーブルの先端４０Ｅを留める（図５参照）。
【００３１】
スライド部材３３は、一対のスライド片３３Ａに架設された操作摘み３３Ｃを備える。ガイド部材３２は、スライド部材３３の本体部と操作摘み３３Ｃとの間に挿し込まれている（図５参照）。スライド片３３Ａは、ガイド部材３２のガイド縁３２Ａに沿って摺動し、スライド部材３３は、ガイド部材３２に対して操作方向Ｄに移動する。この際、ガイド部材３２は、スライド部材３３の移動を操作方向Ｄに案内する。そして、各留め部３３Ｂは、アウターケーブルに対して、インナーケーブルを操作方向Ｄに移動させる。
【００３２】
外側カバー部材３４は、操作方向Ｄに延在する板状を有する。外側カバー部材３４は、内側カバー部材３１とガイド部材３２とを外側から覆う。外側カバー部材３４は、収容部１２１の全体を覆う大きさを有し、かつ、外側シェル１２の左側面１２Ｓと滑らかにつながる表面３４Ｂを備える。
【００３３】
外側カバー部材３４の嵌合孔３４Ａは、操作方向Ｄに延在する矩形孔状を有する。外側カバー部材３４の嵌合孔３４Ａは、ガイド部材３２の位置決め突部３２Ｃと嵌合して、外側カバー部材３４に対してガイド部材３２を位置決めする。外側カバー部材３４の嵌合孔３４Ａは、スライド部材３３の操作摘み３３Ｃを外部に露出させる。外側カバー部材３４の嵌合孔３４Ａは、操作摘み３３Ｃの操作方向Ｄでの移動を可能とする。
【００３４】
外側カバー部材３４は、内側カバー部材３１に向けて突き出る一対の嵌合筒部３４Ｄを備える。各嵌合筒部３４Ｄは、内側カバー部材３１における別々の嵌合突片３１Ｄに嵌入されている（図５参照）。各嵌合筒部３４Ｄは、内側カバー部材３１の締結孔３１Ａに挿し込まれ、外側シェル１２のねじ止め孔１２６を通じて、外側シェル１２にねじ止め固定されている。
【００３５】
［作用］
次に、上記ヘルメットの作用について図６から図９を参照して説明する。図６は、操作摘み３３Ｃが第１操作位置に位置するときの操作機構３０の状態を示し、図７は、操作摘み３３Ｃが第２操作位置に位置するときの操作機構３０の状態を示す。図８は、参考となるヘルメットでの操作摘み３３Ｃが第１操作位置に位置するときの操作機構３０の状態を示し、図９は、参考となるヘルメットでの操作摘み３３Ｃが第１操作位置に位置するときの操作機構３０の状態を示す。
【００３６】
なお、参考となるヘルメットは、外側シェル１２が有底の収容部１２１を備えず、操作摘み３３Ｃが移動する範囲の全体にわたり貫通する嵌合孔１２Ｋが外側シェル１２の左側面に位置し、操作機構３０が嵌合孔１２Ｋに嵌め込まれている例である。
【００３７】
図６が示すように、外側カバー部材３４の表面３４Ｂは、外側シェル１２の左側面１２Ｓと滑らかにつながり、操作機構３０と外側シェル１２とが一体であるかのように、これらを視認させる。
【００３８】
操作摘み３３Ｃが第１操作位置に位置するとき、スライド部材３３の留め部３３Ｂと、外側シェル１２の挿通孔１２４とは、スライド部材３３の操作方向Ｄに延在する直線上に並ぶ。そして、スライド部材３３に接続された伝達ケーブル４０は、インナーケーブルの先端４０Ｅから、スライド部材３３の操作方向Ｄに沿ってほぼ直線状に延在する。すなわち、スライド部材３３に接続された伝達ケーブル４０は、操作機構３０の内部、および、操作機構３０の周辺において、曲率半径が極端に小さい屈曲を有さず、操作機構３０の内部から外部に滑らかに引き出されている。
【００３９】
図７が示すように、操作摘み３３Ｃが第２操作位置に移動するとき、ここでも、スライド部材３３の留め部３３Ｂと、外側シェル１２の挿通孔１２４とは、スライド部材３３の操作方向Ｄに延在する直線上に並ぶ。そして、操作摘み３３Ｃの移動に従い、アウターケーブルからインナーケーブルが引き出される。結果として、操作摘み３３Ｃが第１操作位置から第２操作位置に移動するとき、インナーケーブルが操作方向Ｄに沿って滑らかに移動し、それによって、操作摘み３３Ｃの操作を滑らかに進めることが可能となる。なお、操作摘み３３Ｃが第２操作位置から第１操作位置に移動するときもまた、インナーケーブルが操作方向Ｄに沿って滑らかに移動し、それによって、操作摘み３３Ｃの操作を滑らかに進めることが可能となる。
【００４０】
また、操作機構３０を収容する収容部１２１は、底面１２５を備えた有底の窪みである。さらに、外側シェル１２を貫通する挿通孔１２４は、スライド部材３３を変位させる大きな孔ではなく、直線状に延在する伝達ケーブル４０を通す程度の小さな孔である。そして、挿通孔１２４が位置する内周面１２２は、左側面１２Ｓと交差する面であって、左側面１２Ｓにおける変形を抑える面でもある。それゆえに、左側面１２Ｓに沿う大きな開口が左側面１２Ｓに位置する構成と比べて、操作機構３０を取り付けることによる外側シェルの強度低下、および、挿通孔１２４が位置することによる外側シェル１２の強度低下が抑えられる。さらに、挿通孔１２４が小さいため、また、着用者の耳に向けて直接開口するような孔が左側面１２Ｓに位置しないため、走行時の騒音が着用者の耳に伝わりにくい。
【００４１】
なお、図８，９が示すように、操作摘み３３Ｃが移動する範囲の全体にわたり外側シェル１２を貫通する嵌合孔１２Ｋが外側シェル１２の左側面１２Ｓに位置する場合、着用者の耳に近い場所に大きな貫通する孔が存在する。また、大きな貫通する孔である嵌合孔１２Ｋが着用者の耳に向けて開口する。そのため、走行時の騒音が着用者の耳に直接伝わってしまう。また、嵌合孔１２Ｋが位置することにより外側シェル１２の強度が大幅に低下してしまう。また、スライド部材３３の留め部３３Ｂと、外側シェル１２の嵌合孔１２Ｋとが操作方向Ｄに並ばないため、さらには、内側カバー部材３１のリード溝３１Ｇによる誘導も得られないため、第１操作位置と第２操作位置との間の移動に際し、伝達ケーブル４０は、曲率半径が極端に小さい屈曲を形成しやすい。
【００４２】
上記実施形態によれば、以下に列挙する効果が得られる。
（１）スライド部材３３と各支持機構２０とに各伝達ケーブル４０が接続され、スライド部材３３の操作方向Ｄに沿って、収容部１２１から外側シェル１２の内側に向けて、各伝達ケーブル４０が延在する。結果として、各伝達ケーブル４０のインナーケーブルは、操作機構３０、および、収容部１２１の周囲にて屈曲することなく、スライド部材３３の移動に従って円滑に移動する。
【００４３】
（２）操作機構３０を収容する収容部１２１は、操作方向Ｄに延在する有底の窪みであって、かつ、窪みの内周面１２２のなかで操作方向Ｄに位置する上端面１２３のみに挿通孔１２４が位置する。そのため、外側シェル１２を貫通する孔は、スライド部材３３を変位させる大きな孔ではなく、一対の伝達ケーブル４０を通す程度の小さな孔として構成可能となる。
【００４４】
（３）窪みの内周面１２２は、左側面１２Ｓと交差する面であって、かつ、左側面１２Ｓにおける変形を抑える面でもある。そして、内周面１２２における操作方向Ｄの上端面１２３に、小さな挿通孔１２４が位置する。そのため、左側面１２Ｓに沿う大きな開口が左側面１２Ｓに位置する構成と比べて、孔が位置することによる外側シェル１２の強度低下が抑えられる。
【００４５】
（４）操作機構３０が備える内側カバー部材３１は、収容部１２１である窪みの底面１２５のほぼ全体と面接触する。そして、外力が作用するときの収容部１２１の変形が、収容部１２１の底面１２５と内側カバー部材３１との面接触によって抑えられる。ひいては、収容部１２１における機械的な強度が、操作機構３０の内側カバー部材３１によって高められる。
【００４６】
（５）内側カバー部材３１の誘導面３１Ｃには、操作方向Ｄに延在するリード溝３１Ｇが位置する。スライド部材３３から延在する伝達ケーブル４０が、リード溝３１Ｇによって挿通孔１２４に向けられるため、伝達ケーブル４０は操作機構３０の内部で屈曲し難い。結果として、操作機構３０の内部において、伝達ケーブル４０の移動が円滑に進む。
【００４７】
（６）左側用の支持機構２０の周囲を回る弧に沿って伝達ケーブル４０が位置し、弧の端部での接線方向が操作方向Ｄとなる。すなわち、スライド部材３３と支持機構２０との間において、伝達ケーブル４０が通る経路は、曲率半径が極端に小さい屈曲を有さず滑らかな曲線を描く。そのため、伝達ケーブル４０での操作方向Ｄの移動が、さらに円滑に行われる。
【００４８】
上記実施形態は以下のように適宜変更して実施される。
［伝達ケーブル］
・操作方向Ｄは、伝達ケーブル４０が通る経路の接線方向とは異なる方向であってもよい。なお、上述したように、伝達ケーブル４０が通る経路の接線方向と操作方向Ｄとが一致する構成であれば、上記（６）に準じた効果が得られる。
【００４９】
［内側カバー部材］
・内側カバー部材３１は、リード溝３１Ｇを割愛し、伝達ケーブル４０の延在方向を操作方向Ｄに導く凸リブを備えることも可能である。この構成においても、上記（５）に準じた効果は得られる。
【００５０】
・スライド部材３３の一部や留め部３３Ｂと、収容部１２１の底面１２５とが接触しないように、スライド部材３３と収容部１２１の底面１２５との間に適度な距離（隙間）が保たれてもよい。この際、ガイド部材３２と外側カバー部材３４とによって操作機構３０の機械的な強度を高めて、内側カバー部材を割愛してもよい。この構成であっても、上記（４）〜（６）に準じた効果が得られる。
【００５１】
［挿通孔］
・挿通孔１２４の数量は、一対の伝達ケーブル４０をまとめて通す１つであってもよいし、各伝達ケーブル４０を別々に通す２つであってもよい。また、挿通孔１２４の形状は、矩形孔状であってもよいし、円形孔状であってもよい。
【符号の説明】
【００５２】
１２…外側シェル、１２Ａ…開口部、１４…防眩バイザー、２０…支持機構、３０…操作機構、３１…内側カバー部材、３１Ｃ…誘導面、３１Ｇ…リード溝、３２…ガイド部材、３３…スライド部材、３４…外側カバー部材、３４Ｂ…表面、４０…伝達ケーブル、１２１…収容部、１２２…内周面、１２４…挿通孔。
【図１】
2019194373.tif 000003
【図２】
2019194373.tif 000004
【図３】
2019194373.tif 000005
【図４】
2019194373.tif 000006
【図５】
2019194373.tif 000007
【図６】
2019194373.tif 000008
【図７】
2019194373.tif 000009
【図８】
2019194373.tif 000010
【図９】
2019194373.tif 000011